(57)【特許請求の範囲】
【請求項１】
ビス挿入孔を両端部に有する細長い座板の片面に支持軸を設けた台座と、前記支持軸を中心として回転自在に支持され、屋外側障子の召合わせ框に取付けられる受け金具に対して係脱可能な円弧状の係合板を外周に有する掛け金具と、その掛け金具の回動操作用の操作レバーと、前記掛け金具の係合板が台座の一側方に突出する係合位置から他側方に突出する係合解除位置の範囲において掛け金具の回転を自由とする回転量制限手段とから成るクレセント錠において、前記支持軸を座板の幅中央から座板の一側方にオフセットし、前記回転量制限手段が、前記操作レバーおよび掛け金具の前記支持軸を中心とする一つの円上に二つの挿入孔を１８０°の間隔をおいて設け、前記操作レバーの表面側に着脱自在に取付けられたキャップには前記挿入孔の一方に挿通されて前記支持軸の外周に沿うストッパ片を設け、前記支持軸の外周には円弧状の膨出部を形成し、その膨出部の両端に対するストッパ片の当接によって掛け金具の回転量を制限する構成とされていることを特徴とするクレセント錠。
【発明の詳細な説明】
【０００１】
【発明の属する技術分野】
この発明は、引違い障子を閉鎖状態においてロックするクレセント錠に関するものである。
【０００２】
【従来の技術】
引違い障子を閉鎖状態に保持するクレセント錠として、図８に示したものが従来から知られている。このクレセント錠は、屋内側障子の召合わせ框の外側面に取付けられる台座５０上に掛け金具５１を回転自在に取付け、その掛け金具５１を操作レバー５２の回動操作により回動して、外周部に設けられた円弧状の係合板５３を他方の障子の召合わせ框に取付けられる受け金具に対して係脱させるようにしている。
【０００３】
上記のようなクレセント錠は、普通、台座５０の両端部にビス挿入孔５４を形成し、各ビス挿入孔５４に挿入されるビスを障子の召合わせ框に形成されたねじ孔にねじ係合し、そのビスの締付けによって前記台座５０を固定するようにしている。
【０００４】
一般に、クレセント錠においては、そのクレセント錠の台座を固定するビスのねじ係合用ねじ孔の形成ピッチがメーカによって相違している。このため、召合わせ框に形成されたねじ孔を利用して他のメーカのクレセント錠を取り替えようとした場合に、取付けできない場合が生じる。
【０００５】
そのような不都合を解消するため、図８に示すように、台座５０の両端部に円形のビス座板５５を回転自在に取付け、そのビス座板５５に直径方向に長い長孔から成るビス挿入孔５４を形成したクレセント錠が提案されている。
【０００６】
上記クレセント錠においては、ビス座板５５を回転させることによって長孔から成るビス挿入孔５４の向きを任意に変更することができるため、障子の召合わせ框に予め形成されたねじ孔にビス挿入孔５４の一部を一致させることができ、前記ねじ孔を利用して台座５０を固定することができるという特徴を有している。
【０００７】
【発明が解決しようとする課題】
ところで、円形のビス座板５５を有するクレセント錠においては、前記のように、予め形成されたねじ孔を利用して取付けることができるものの、その取付け状態でクレセント錠を上下方向および座板の幅方向に位置調整することができない場合があり、他方の障子の召合わせ框に掛け金具の係合板を係合させることができない場合がある。
【０００８】
クレセント錠においては、２本のビスを弛める取付け状態で台座の長さ方向（上下方向）および幅方向の２方向に位置調整し得るようにしたものも存在するが、掛け金具を係合位置に回動させた状態においては、その掛け金具に設けられた係合板の受け金具に対する係合位置と台座の一側面間の寸法は常に一定であるため、クレセント錠を掛け金具が受け金具に係合するよう台座の幅方向に位置調整した際に、台座の一側部が召合わせ框の側面から屋内側障子に向けて出張り、障子の引き違いの際に、他方の障子が掛け金具に干渉して障子を引き違いさせることができない場合が生じる。
【０００９】
この発明の課題は、掛け金具における係合板の受け金具に対する係合位置を台座の幅方向に位置調整できるようにして、掛け金具が受け金具と適正に係合し得る状態を確保することができるようにしたクレセント錠を提供することである。
【００１０】
【課題を解決するための手段】
上記の課題を解決するために、この発明においては、ビス挿入孔を両端部に有する細長い座板の片面に支持軸を設けた台座と、前記支持軸を中心として回転自在に支持され、屋外側障子の召合わせ框に取付けられる受け金具に対して係脱可能な円弧状の係合板を外周に有する掛け金具と、その掛け金具の回動操作用の操作レバーと、前記掛け金具の係合板が台座の一側方に突出する係合位置から他側方に突出する係合解除位置の範囲において掛け金具の回転を自由とする回転量制限手段とから成るクレセント錠において、前記支持軸を座板の幅中央から座板の一側方にオフセットし、前記回転量制限手段を、前記操作レバーおよび掛け金具の前記支持軸を中心とする一つの円上に二つの挿入孔を１８０°の間隔をおいて設け、前記操作レバーの表面側に着脱自在に取付けられたキャップには前記挿入孔の一方に挿通されて前記支持軸の外周に沿うストッパ片を設け、前記支持軸の外周には円弧状の膨出部を形成し、その膨出部の両端に対するストッパ片の当接によって掛け金具の回転量を制限する構成としたのである。
【００１１】
上記の構成からなるクレセント錠において、掛け金具の受け金具に対する幅方向の位置調整に際しては、キャップを取外したのち、台座と掛け金具とを相対的にほぼ１８０°回転し、その回転後、キャップを１８０°回転し、ストッパ片が他方の挿入孔に挿入されるようにしてキャップを取付けるようにする。その調整において、支持軸が座板の幅中央から一側面側にオフセットされているため、台座と掛け金具を相対的にほぼ１８０°回転させることにより、掛け金具を座板の幅方向に位置調整することができ、掛け金具が受け金具と適正に係合する状態を確保することができる。
【００１４】
【発明の実施の形態】
以下、この発明の実施の形態を図１乃至図７に基づいて説明する。図１および図５に示すように、台座１は細長い座板２の片面に支持軸３を設けている。座板２の両端は円弧面とされ、各円弧面の中心に円形孔４が形成され、各円形孔４にフランジを有するビス座板５が回転自在に嵌合されている。ビス座板５には直径方向に長い長孔から成るビス挿入孔６が設けられている。
【００１５】
座板２には複数の高さ調整プレート７が重ね合わされ、各高さ調整プレート７にはビス座板５と対向する位置に円形の孔８が設けられている。この高さ調整プレート７は台座１の取付け時に必要に応じて用いるようにする。
【００１６】
前記座板２の両端部上には各ビス座板５を覆うカバー９が着脱自在に取付けられている。このカバー９は省略してもよい。
【００１７】
前記支持軸３は台座部３ａを根元部に有している。この支持軸３は、図２に示すように、座板２の幅中心線Ｃに対して座板２の一側面側にオフセットされている。δはそのオフセット量を示す。
【００１８】
上記の構成から成る台座１は、図３に示すように、召合わせ引き違い障子の屋内側障子Ａにおける召合わせ框ａの外側面に重ね合わされ、ビス座板５のビス挿入孔６に挿入されるビス（図示省略）を召合わせ框ａに形成されたねじ孔にねじ係合して締付けることにより固定される。
【００１９】
図１および図２に示すように、前記支持軸３には先端面で開口する軸挿入孔１０が形成され、その軸挿入孔１０を中心として掛け金具１１が回転自在に支持されている。
【００２０】
掛け金具１１は支持軸３を覆う円筒部１２を有し、その円筒部１２に設けられた端板１３に軸部１４を設けている。軸部１４は支持軸３に設けられた前記軸挿入孔１０に挿入されて回転自在に支持され、かつ抜け止めされている。
【００２１】
軸部１４の抜け止めに際し、ここでは、軸部１４の先端に小径の突部１５を形成し、一方、座板２の背面に裏板１６を重ね、その裏板１６に形成された挿入孔１７に前記突部１５を挿入して先端部を加締めるようにしている。
【００２２】
前記軸部１４には支持軸３の台座部３ａ内に位置する外周に２つの平坦面１８が１８０°の間隔をおいて設けられ、その平坦面１８を両側から挟持する２枚の板ばね１９が台座部３ａ内に組込まれており、上記平坦面１８に対する板ばね１９の係合によって軸部１４は仮止めされている。
【００２３】
前記円筒部１２の下部外周には弧状板２０が設けられている。弧状板２０の外周部は円筒部１２の軸方向に段差が設けられ、その弧状板２０の外周に円弧状の係合板２１が設けられている。係合板２１は図３に示すように、屋外側障子Ｂの召合わせ框ｂに取付けられた受け金具２２に対して係合可能とされている。
【００２４】
図１、図２および図４に示すように前記軸部１４には端板１３の表面で開口する角孔２３が形成され、その角孔２３内に操作レバー２４の一端の円板部２５に設けられた角軸部２６が挿入されている。このため、操作レバー２４を回動操作することにより、掛け金具１１が共に回転するようになっている。
【００２５】
前記角軸部２６は、図４に示すように、一対の係合爪２７を先端部に有し、各係合爪２７は、角孔２３の底部外周に設けられた係合孔２８と係合し、その係合によって角軸部２６は抜け止めされている。
【００２６】
前記操作レバー２４および掛け金具１１は、回転量制限機構３０によって、掛け金具１１の係合板２１が受け金具２２と係合する位置からほぼ１８０°回動させた係合解除位置の範囲内において回転可能とされている。
【００２７】
回転量制限機構３０は、図１、図２および図５に示すように、操作レバー２４の円板部２５および掛け金具１１における端板１３の前記支持軸３を中心とする一つの円上に二つの挿入孔３１を１８０°の間隔をおいて形成し、操作レバー２４の円板部２５の表面に重ね合わせた円板状のキャップ３２には前記一方の挿入孔３１に挿通されて支持軸３の外周に沿うストッパ片３３を設け、前記支持軸３の外周には円弧状の膨出部２４を形成し、この膨出部３４の周方向両端に対するストッパ片３３の当接によって操作レバー２４および掛け金具１１の回転量を制限するようになっている。
【００２８】
ここで、キャップ３２は係合爪３５を有し、この係合爪３５は操作レバー２４の角軸部２６に形成された挿入孔３６に挿入されて角軸部２６の先端面に係合し、その係合によってキャップ３２は抜け止めされ、前記キャップ３２を軸方向に引くことにより、角軸部２６と係合爪３５の係合が解除され、キャップ３２を着脱し得るようになっている。
【００２９】
実施の形態で示すクレセント錠は上記の構造から成り、図２および図３は掛け金具１１の係合板２１が受け金具２２に係合している状態を示し、引き違い障子Ａ、Ｂは閉鎖位置に保持されている。
【００３０】
図２に示す状態から操作レバー２４を同図の矢印方向に回転させると、その操作レバー２４の角軸部２６が掛け金具１１の角孔２３に係合しているため操作レバー２４と共に掛け金具１１が回動し、係合板２１が受け金具１１に対して係合解除される。
【００３１】
このとき、キャップ３２のストッパ片３３は、支持軸３の外周に沿って回動し、そのストッパ片３３が膨出部３４の端面に当接すると、操作レバー２４および掛け金具１１は回り止めされ、図１に示す板ばね１９が軸部１４の外周に形成された平坦面１８に係合して、掛け金具１１は係合解除位置で仮止めされる。
【００３２】
実施の形態で示すクレセント錠においては、座板２にビス座板５を回転自在に設け、そのビス座板５に直径方向に長いビス挿入孔６を設けているため、屋内側障子Ａの召合わせ框ａに形成される一対のねじ孔の形成位置に加工誤差がある場合でも、ビス座板５の回転によってビス挿入孔６の一部をねじ孔に一致させることができ、ねじ孔の加工誤差をビス座板５の回転によって吸収することができる。
【００３３】
また、ビス座板５が回転自在であるため、クレセント錠の取り替えに際しても、召合わせ框ｂに予め形成されたねじ孔を利用してクレセント錠の台座１を取付けることができる。
【００３４】
古いクレセント錠を取外し、実施の形態で示すクレセント錠を取付けた場合、予め形成されたねじ孔の位置関係から、掛け金具１１の係合板２１を受け金具２２に係合し得ない場合が生じる。この場合、掛け金具１１を座板２の幅方向に位置調整して掛け金具１１の係合板２１が受け金具２２に係合し得るようにする。
【００３５】
掛け金具１１の位置調整に際しては、クレセント錠を一旦取外し、キャップ３２を取外したのち、台座１と掛け金具１１を相対的に１８０°回転する。ここで、掛け金具１１を回転自在に支持する支持軸３は、座板２の幅中心線から座板２の一側面側にオフセットされているため、台座１と掛け金具１１を相対的に１８０°回転させると、掛け金具１１における係合板２１の受け金具２２に対する係合位置と座板２の一側面間の寸法が変化する。
【００３６】
例えば、図２に示す状態において、係合位置に保持された掛け金具１１における係合板２１の受け金具２２に対する係合位置Ｐから座板２の一側面までの寸法をＬ1 とした場合、台座１と掛け金具１１を相対的に１８０°回転すると、図６に示すように、係合板２１の受け金具２２に対する係合位置Ｐと座板２の一側面間の寸法はＬ2 に変化し、座板２の一側面に対して掛け金具１１の係合板２１を座板２の幅方向に位置調整することができる。
【００３７】
上記のように、掛け金具１１を座板２の幅方向に位置調整することによって、座板２の取付け位置をそのままにして掛け金具１１が受け金具２２に係合する適正な状態を得ることができる。
【００３８】
上記のような掛け金具２２の位置調整後は、座板２を召合わせ框ａにビス止めすると共に、キャップ３２を軸心を中心に１８０°回転し、ストッパ片３３が他方の挿入孔３１に挿入されるようにして操作レバー２４の円板部２５の表面側にキャップ３２を取付ける。
【００３９】
図１に示す実施の形態では、座板２の両端部にビス挿入孔６を有するビス座板５を回転自在に取付けるようにしたが、図７に示すように、座板２の両端部に角孔４０を形成し、その角孔４０の座板２の長さ方向で対向する両端縁に鋸歯４１を設け、その鋸歯４１に係合可能な鋸歯４３を両端に有する矩形のビス座板４２に長孔から成るビス挿入孔４４を形成して、前記ビス座板４２を角孔４０の幅方向に位置調整できるようにしてもよい。
【００４０】
【発明の効果】
以上のように、この発明においては、座板に設けられた支持軸を座板の幅中心線に対して座板の一側面側にオフセットし、その支持軸によって係合板を外周に有する掛け金具を回転自在に支持したことにより、台座と掛け金具を相対的にほぼ１８０°回転させることによって、掛け金具の係合板を座板の幅方向に位置調整することができる。
【００４１】
このため、台座の取付け位置をそのままにして掛け金具が受け金具と適正に係合する状態を確保することができ、他メーカのクレセント錠との取り替えを可能とすることができる。
【図面の簡単な説明】
【図１】この発明に係るクレセント錠の実施の形態を示す縦断正面図
【図２】図１の縦断側面図
【図３】図２の平面図
【図４】図１のIV−IV線に沿った断面図
【図５】図１に示すクレセント錠の分解斜視図
【図６】図２に示すクレセント錠の掛け金具を座板の幅方向に位置調整した状態の縦断側面図
【図７】この発明に係るクレセント錠のビス座板の他の例を示す側面図
【図８】従来のクレセント錠を示す側面図
【符号の説明】
１  台座
２  座板
３  支持軸
６  ビス挿入孔
１１  掛け金具
２１  係合板
２２  受け金具
２４  操作レバー
３０  回転量制限機構
３１  挿入孔
３２  キャップ
３３  ストッパ片
３４  膨出部
【図１】
0004322405.tif 000002
【図２】
0004322405.tif 000003
【図３】
0004322405.tif 000004
【図４】
0004322405.tif 000005
【図５】
0004322405.tif 000006
【図６】
0004322405.tif 000007
【図７】
0004322405.tif 000008
【図８】
0004322405.tif 000009